(57)【要約】【課題】低コストでかつ軽量コンパクトで、しかも架装が容易な２系統の冷媒回路系間で冷凍能力を直接授受できる簡素な構成の２室用冷凍装置を提供することを目的とする。【解決手段】独立した２系統の冷媒回路系２０，４０を備え、該冷媒回路系２０，４０により２室を同時または個別に温調可能とした２室用冷凍装置１において、２系統の冷媒回路系２０，４０の間に、少なくとも一方の冷媒回路系２０（４０）から、他方の冷媒回路系４０（２０）に冷凍能力を直接受け渡しする能力授受手段３１（５１）が設けられていることを特徴とする。【選択図】図１
2010236827.tif 000002
【特許請求の範囲】
【請求項１】
独立した２系統の冷媒回路系を備え、該冷媒回路系により２室を同時または個別に温調可能とした２室用冷凍装置において、
前記２系統の冷媒回路系の間に、少なくとも一方の冷媒回路系から、他方の冷媒回路系に冷凍能力を直接受け渡しする能力授受手段が設けられていることを特徴とする２室用冷凍装置。
【請求項２】
独立した２系統の冷媒回路系を備え、該冷媒回路系により２室を同時または個別に温調可能とした２室用冷凍装置において、
前記２系統の冷媒回路系の間に、相互に冷凍能力を直接受け渡しする能力授受手段が設けられていることを特徴とする２室用冷凍装置。
【請求項３】
前記能力授受手段は、前記２系統の冷媒回路系の一方の冷媒回路系の蒸発器に対し切替え弁を介して並列に接続され、前記他方の冷媒回路系の高圧液冷媒と熱交換して該液冷媒を過冷却する熱交換器を備えた構成とされていることを特徴とする請求項１または２に記載の２室用冷凍装置。
【請求項４】
前記能力授受手段は、前記２系統の冷媒回路系の一方の冷媒回路系の蒸発器の入口側に切替え弁を介して互いに並列に接続された、バイパス回路と前記他方の冷媒回路系の高圧液冷媒と熱交換して該液冷媒を過冷却する熱交換器との並列回路を備えた構成とされていることを特徴とする請求項１または２に記載の２室用冷凍装置。
【請求項５】
前記能力授受手段は、前記２系統の冷媒回路系の中の一方の冷媒回路系の冷凍能力が不足しているとき、前記他方の冷媒回路系から該冷媒回路系での冷却運転を継続しながら冷凍能力を受け渡し可能に構成されていることを特徴とする請求項１ないし４のいずれかに記載の２室用冷凍装置。
【請求項６】
前記能力授受手段は、前記２系統の冷媒回路系の中の一方の冷媒回路系の冷凍能力が不足しているとき、前記他方の冷媒回路系から当該能力授受手段のみを機能させて冷凍能力を受け渡し可能に構成されていることを特徴とする請求項１ないし４のいずれかに記載の２室用冷凍装置。
【請求項７】
前記２系統の冷媒回路系の各圧縮機を除く一方の冷媒回路系の凝縮器側機器および蒸発器側機器、前記能力授受手段並びに前記他方の冷媒回路系の凝縮器側機器等が１つのホストユニットに纏められて前記２室中の一方の室側に設置可能とされ、前記他方の冷媒回路系の蒸発器側機器がエバポレータユニットとして前記他方の室側に設置可能とされていることを特徴とする請求項１ないし６のいずれかに記載の２室用冷凍装置。
【請求項８】
前記能力授受手段は、能力授受キットとしてユニット化され、該能力授受ユニットが前記２系統の冷媒回路系間に接続可能に構成されていることを特徴とする請求項１ないし６のいずれかに記載の２室用冷凍装置。
【発明の詳細な説明】
【技術分野】
【０００１】
本発明は、２室をそれぞれ同時または個別に温調することができる独立した２系統の冷媒回路系を備えた２室用冷凍装置に関するものである。
【背景技術】
【０００２】
冷凍車等に架装される輸送用冷凍装置において、仕切壁により２室に仕切られている保冷庫に設置され、各室を同時または個別に温調できるようにした２室用冷凍装置が従来から知られている（例えば、特許文献１の図２参照）。この２室用冷凍装置は、各室の熱負荷に見合った冷凍能力を有する独立した２系統の冷媒回路系を備えている。このような輸送用冷凍装置にあって、圧縮機が車両の走行用エンジンに電磁クラッチ等を介して直結されている直結式の冷凍装置では、圧縮機の回転は走行用エンジンの回転数に依存する。このため、圧縮機の回転数を任意に可変して冷凍能力を制御することはできなかった。
【０００３】
また、仕切壁により２室に仕切られている保冷庫は、積荷の量に応じて仕切壁が移動され、各室の内容積が変更されて使用されることがある。この場合、各室の熱負荷が変わるため、一方の冷媒回路系では冷凍能力にゆとりが生じ、他方の冷媒回路系では冷凍能力が足りなくなることがある。その結果、冷凍能力が不足している室側では、庫内温度を設定温度まで冷却することができなくなるという問題が生じる。この問題を回避するため、冷凍能力が大き目の冷凍装置を選定することが考えられるが、冷凍装置が高価となるのみならず、省エネルギー化に反することにもなる。
【０００４】
一方、特許文献２には、独立した２系統の冷媒回路系を備え、その冷媒回路系間で、冷凍効率の高い一方の冷媒回路系からの余剰の冷熱を、蓄熱用熱交換器を介して蓄熱槽の蓄熱材に蓄熱し、該蓄熱槽を介して冷凍効率の低い他方の冷媒回路系に冷熱を移動させるようにした複合型冷媒回路設備が開示されている。
【先行技術文献】
【特許文献】
【０００５】
【特許文献１】特開平４−３３１８６０号公報（図２参照）
【特許文献２】特許第３０４６１６９号公報（例えば、図１参照）
【発明の概要】
【発明が解決しようとする課題】
【０００６】
しかしながら、特許文献２に示されるように、蓄熱槽を用いたものでは、蓄熱用熱交換器以外にも蓄熱材を充填した蓄熱槽等の設備が不可欠となる。このため、設備自体の構成が複雑化し、高価となるとともに、重量並びに設置スペースの増大等の問題があり、冷凍車等に架装される輸送用冷凍装置に適用するには甚だ不向きであった。
このような状況下、庫内が仕切壁により２室に仕切られ、積荷の量に合わせて仕切壁が移動可能とされている保冷庫に適用される２室用冷凍装置において、一方の冷媒回路系から他方の冷媒回路系に対して冷凍能力を受け渡しすることができる、低コストでかつ軽量コンパクトで、架装が容易な簡素な構成の２室用冷凍装置の提供が求められている。
【０００７】
本発明は、このような事情に鑑みてなされたものであって、低コストでかつ軽量コンパクトで、しかも架装が容易な２系統の冷媒回路系間で冷凍能力を直接授受できる簡素な構成の２室用冷凍装置を提供することを目的とする。
【課題を解決するための手段】
【０００８】
上記した課題を解決するために、本発明の２室用冷凍装置は、以下の手段を採用する。
すなわち、本発明にかかる２室用冷凍装置は、独立した２系統の冷媒回路系を備え、該冷媒回路系により２室を同時または個別に温調可能とした２室用冷凍装置において、前記２系統の冷媒回路系の間に、少なくとも一方の冷媒回路系から、他方の冷媒回路系に冷凍能力を直接受け渡しする能力授受手段が設けられていることを特徴とする。
【０００９】
本発明によれば、２系統の冷媒回路系の間に、少なくとも一方の冷媒回路系から、他方の冷媒回路系に冷凍能力を直接受け渡しする能力授受手段が設けられているため、各室の温調運転時に、他方の冷媒回路系の冷凍能力が不足しているとき、一方の冷媒回路系から冷凍能力が不足している他方の冷媒回路系に、能力授受手段を介して直接冷凍能力を受け渡しし、他方の冷媒回路系の冷凍能力を増強して運転することができる。従って、各冷媒回路系の冷凍能力を必要以上に大きくする必要がなくなり、２室用冷凍装置を小型化、低コスト化することができる。しかも２系統の冷媒回路系間に設けられている能力授受手段により余計な設備を介さず直接冷凍能力を受け渡しできるため、構成が簡素でかつ軽量コンパクトで、それ故架装が容易な能力授受手段を備えた２室用冷凍装置を提供することができる。
【００１０】
さらに、本発明にかかる２室用冷凍装置は、独立した２系統の冷媒回路系を備え、該冷媒回路系により２室を同時または個別に温調可能とした２室用冷凍装置において、前記２系統の冷媒回路系の間に、相互に冷凍能力を直接受け渡しする能力授受手段が設けられていることを特徴とする。
【００１１】
本発明によれば、２系統の冷媒回路系の間に、相互に冷凍能力を直接受け渡しする能力授受手段が設けられているため、各室の温調運転時に、２系統の冷媒回路系のいずれか一方の冷媒回路系の冷凍能力が不足しているとき、他方の冷媒回路系から冷凍能力が不足している一方の冷媒回路系に、能力授受手段を介して直接冷凍能力を受け渡しし、一方の冷媒回路系の冷凍能力を増強して運転することができる。従って、各冷媒回路系の冷凍能力を必要以上に大きくする必要がなくなり、２室用冷凍装置を小型化、低コストかすることができる。しかも２系統の冷媒回路系間に設けられている能力授受手段により余計な設備を介さず直接冷凍能力を受け渡しできるため、構成が簡素でかつ軽量コンパクトで、それ故架装が容易な能力授受手段を備えた２室用冷凍装置を提供することができる。
【００１２】
さらに、本発明の２室用冷凍装置は、上述のいずれかの２室用冷凍装置において、前記能力授受手段は、前記２系統の冷媒回路系の一方の冷媒回路系の蒸発器に対し切替え弁を介して並列に接続され、前記他方の冷媒回路系の高圧液冷媒と熱交換して該液冷媒を過冷却する熱交換器を備えた構成とされていることを特徴とする。
【００１３】
本発明によれば、能力授受手段が、２系統の冷媒回路系の一方の冷媒回路系の蒸発器に対し切替え弁を介して並列に接続され、他方の冷媒回路系の高圧液冷媒と熱交換して該液冷媒を過冷却する熱交換器を備えた構成とされているため、ベースとなる冷媒回路系に対し切替え弁を介して熱交換器を接続するだけで、一方の冷媒回路系から他方の冷媒回路系に冷凍能力を直接受け渡しできる能力授受手段を構成することができる。従って、能力授受手段を余計な設備を介在させずに最小限の機器で簡素に構成することができる。
【００１４】
さらに、本発明の２室用冷凍装置は、上述のいずれかの２室用冷凍装置において、前記能力授受手段は、前記２系統の冷媒回路系の一方の冷媒回路系の蒸発器の入口側に切替え弁を介して互いに並列に接続された、バイパス回路と前記他方の冷媒回路系の高圧液冷媒と熱交換して該液冷媒を過冷却する熱交換器との並列回路を備えた構成とされていることを特徴とする。
【００１５】
本発明によれば、能力授受手段が、２系統の冷媒回路系の一方の冷媒回路系の蒸発器の入口側に切替え弁を介して互いに並列に接続された、バイパス回路と他方の冷媒回路系の高圧液冷媒と熱交換して該液冷媒を過冷却する熱交換器との並列回路を備えた構成とされているため、ベースとなる冷媒回路系に対し切替え弁を介してバイパス回路と熱交換器との並列回路を接続するだけで、一方の冷媒回路系から他方の冷媒回路系に冷凍能力を直接受け渡しできる能力授受手段を構成することができる。従って、能力授受手段を余計な設備を介在させずに最小限の機器で簡素に構成することができる。
【００１６】
さらに、本発明の２室用冷凍装置は、上述のいずれかの２室用冷凍装置において、前記能力授受手段は、前記２系統の冷媒回路系の中の一方の冷媒回路系の冷凍能力が不足しているとき、前記他方の冷媒回路系から該冷媒回路系での冷却運転を継続しながら冷凍能力を受け渡し可能に構成されていることを特徴とする。
【００１７】
本発明によれば、２系統の冷媒回路系の中の一方の冷媒回路系の冷凍能力が不足しているとき、他方の冷媒回路系から該冷媒回路系での冷却運転を継続しながら能力授受手段を介して冷凍能力が受け渡し可能とされているため、２系統の冷媒回路系を同時に冷却運転しながら冷凍能力が不足している一方の冷媒回路系に他方の冷媒回路系から冷凍能力を受け渡しし、一方の冷媒回路系の冷凍能力を増強して運転することができる。従って、各冷媒回路系の冷凍能力を必要以上に大きくする必要がなくなり、能力授受手段を備えた２室用冷凍装置を小型コンパクト化、低コスト化することができる。
【００１８】
さらに、本発明の２室用冷凍装置は、上述のいずれかの２室用冷凍装置において、前記能力授受手段は、前記２系統の冷媒回路系の中の一方の冷媒回路系の冷凍能力が不足しているとき、前記他方の冷媒回路系から当該能力授受手段のみを機能させて冷凍能力を受け渡し可能に構成されていることを特徴とする。
【００１９】
本発明によれば、２系統の冷媒回路系の中の一方の冷媒回路系の冷凍能力が不足しているとき、他方の冷媒回路系から能力授受手段のみを機能させて冷凍能力が受け渡し可能とされているため、他方の冷媒回路系が設定温度に到達し、当該室側の冷却運転が不要な状態になったときでも、他方の冷媒回路系を能力授受手段が機能するように運転することによって、冷凍能力が不足している一方の冷媒回路系に他方の冷媒回路系から冷凍能力を受け渡しし、一方の冷媒回路系の冷凍能力を増強して運転することができる。従って、各冷媒回路系の冷凍能力を必要以上に大きくする必要がなくなり、能力授受手段を備えた２室用冷凍装置を小型コンパクト化、低コスト化することができる。
【００２０】
さらに、本発明の２室用冷凍装置は、上述のいずれかの２室用冷凍装置において、前記２系統の冷媒回路系の各圧縮機を除く一方の冷媒回路系の凝縮器側機器および蒸発器側機器、前記能力授受手段並びに前記他方の冷媒回路系の凝縮器側機器等が１つのホストユニットに纏められて前記２室中の一方の室側に設置可能とされ、前記他方の冷媒回路系の蒸発器側機器がエバポレータユニットとして前記他方の室側に設置可能とされていることを特徴とする。
【００２１】
本発明によれば、２系統の冷媒回路系の各圧縮機を除く一方の冷媒回路系の凝縮器側機器および蒸発器側機器、能力授受手段並びに他方の冷媒回路系の凝縮器側機器等が１つのホストユニットに纏められて２室中の一方の室側に設置可能とされ、他方の冷媒回路系の蒸発器側機器がエバポレータユニットとして他方の室側に設置可能とされており、能力授受手段が一方の冷媒回路系の凝縮器側機器および蒸発器側機器並びに他方の冷媒回路系の凝縮器側機器等と共にホストユニットに設けられているため、全体として能力授受手段を備えた２室用冷凍装置をコンパクトに纏めることができる。従って、能力授受手段を備えた２室用冷凍装置の冷凍車等に対する架装を容易化することができる。
【００２２】
さらに、本発明の２室用冷凍装置は、上述のいずれかの２室用冷凍装置において、前記能力授受手段は、能力授受キットとしてユニット化され、該能力授受ユニットが前記２系統の冷媒回路系間に接続可能に構成されていることを特徴とする。
【００２３】
本発明によれば、能力授受手段が、能力授受キットとしてユニット化され、該能力授受ユニットが２系統の冷媒回路系間に接続可能に構成されているため、独立した２系統の冷媒回路系を備えている既設の２室用冷凍装置に対し、その冷媒回路系間に能力授受キットとしてユニット化されている能力授受ユニットを接続することにより、必要に応じて冷凍能力を受け渡しできる能力授受手段を備えた高性能の２室用冷凍装置に簡単に改修することができる。従って、既設の２室用冷凍装置にも容易に適用でき、当該２室用冷凍装置を高性能化することができる。なお、この場合、能力授受ユニットは保冷庫周りの適宜の位置に配置することができる。
【発明の効果】
【００２４】
本発明によると、各室の温調運転時に、他方の冷媒回路系の冷凍能力が不足しているとき、一方の冷媒回路系から冷凍能力が不足している他方の冷媒回路系に、能力授受手段を介して直接冷凍能力を受け渡しし、他方の冷媒回路系の冷凍能力を増強して運転することができるため、各冷媒回路系の冷凍能力を必要以上に大きくする必要がなくなり、２室用冷凍装置を小型化、低コスト化することができる。しかも２系統の冷媒回路系間に設けられている能力授受手段により余計な設備を介さず直接冷凍能力を受け渡しできるため、構成が簡素でかつ軽量コンパクトで、それ故架装が容易な能力授受手段を備えた２室用冷凍装置を提供することができる。
【図面の簡単な説明】
【００２５】
【図１】本発明の第１実施形態にかかる２室用冷凍装置の冷媒回路図である。
【図２】図１に示す２室用冷凍装置の動作状態（パターン１）の冷媒回路図である。
【図３】図１に示す２室用冷凍装置の動作状態（パターン２）の冷媒回路図である。
【図４】図１に示す２室用冷凍装置の冷凍車への架装状態図である。
【図５】本発明の第２実施形態にかかる２室用冷凍装置の冷媒回路図である。
【図６】本発明の第３実施形態にかかる２室用冷凍装置の冷媒回路図である。
【図７】図６に示す２室用冷凍装置の冷凍車への架装状態図である。
【発明を実施するための形態】
【００２６】
以下に、本発明にかかる実施形態について、図面を参照して説明する。
［第１実施形態］
以下、本発明の第１実施形態について、図１ないし図４を用いて説明する。
図１には、冷凍車に架装される２室用冷凍装置の冷媒回路図が示されている。２室用冷凍装置１は、前後方向に移動可能な仕切壁３により２室に仕切られている保冷庫２（図４参照）の第１室４側に設置されるホストユニット１１と第２室５側に設置されるエバポレータユニット１２とを備えている。このホストユニット１１およびエバポレータユニット１２には、それぞれ独立した２系統の第１冷媒回路系２０および第２冷媒回路系４０を備えた２室用冷凍装置１の構成機器が分散して配設されている。
【００２７】
第１冷媒回路系２０および第２冷媒回路系４０の各圧縮機２１および４１は、それぞれ電磁クラッチ付きとされており、冷凍車両６のエンジンルーム内に設けられている。この圧縮機２１および４１は、それぞれ冷凍車両６の走行用エンジン７からクランクプーリ８および駆動ベルト９，１０を介して駆動されるようになっている。なお、各圧縮機２１および４１の回転は、電磁クラッチにより断続可能とされている。
【００２８】
第１冷媒回路系２０は、上記の圧縮機２１、外気を送風するファン２２を備えた凝縮器２３、レシーバ２４、ドライヤ２５、サイトグラス２６、主膨張弁２７、および第１室４内の空気を循環するファン２８を備えた蒸発器２９をこの順に冷媒配管３０で接続することによって回路構成されている。なお、この第１冷媒回路系２０は、公知の一般的な冷凍装置の冷媒回路系と何ら変わるものではない。
【００２９】
また、第２冷媒回路系４０は、上記の圧縮機４１、外気を送風するファン４２を備えた凝縮器４３、レシーバ４４、ドライヤ４５、サイトグラス４６、主膨張弁４７、および第２室５内の空気を循環するファン４８を備えた蒸発器４９をこの順に冷媒配管５０で接続することによって回路構成されている。なお、この第２冷媒回路４０系も、公知の一般的な冷凍装置の冷媒回路系と何ら変わるものではない。
【００３０】
上記した第１冷媒回路系２０の中の圧縮機２を除く他の全ての構成機器、および第２冷媒回路系４０の中のファン４２、凝縮器４３、レシーバ２４、ドライヤ２５、サイトグラス２６等の凝縮器側機器は、纏めてホストユニット１１内に設けられている。ホストユニット１１は、保冷庫２の第１室４側の前面壁に設置され、第１室４内の空気がファン２８により蒸発器２９を介して循環されるように構成されている。なお、この第１室４内の空気が循環される経路は、ホストユニット１１内において他部分と断熱区画されている。
【００３１】
また、第２冷媒回路系４０の主膨張弁４７、ファン４８および蒸発器４９等の蒸発器側機器は、エバポレータユニット１２内に配設されている。このエバポレータユニット１２は、保冷庫２の第２室５内の上方部位に設置され、第２室５内の空気がファン４８により蒸発器４９を介して循環されるように構成されている。
更に、ホストユニット１１内には、第１冷媒回路系２０側から第２冷媒回路系４０側に冷凍能力を直接受け渡しする能力授受手段３１と、逆に第２冷媒回路系４０側から第１冷媒回路系２０側に冷凍能力を直接受け渡しする能力授受手段５１とが設けられている。
【００３２】
能力授受手段３１は、主膨張弁２７の上流側である第１冷媒回路系２０のサイトグラス２６と主膨張弁２７との間から分岐され、主膨張弁２７および蒸発器２９に対して並列に接続されているバイパス回路３２と、切替え弁を構成する２つの電磁弁３３，３４と、バイパス回路３２に設けられている副膨張弁３５と、副膨張弁３５の下流側に設けられ、バイパス回路３２側を流れる冷媒と第２冷媒回路系４０側を流れる凝縮器４３で凝縮された高圧液冷媒とを熱交換して該液冷媒を過冷却する熱交換器３６とから構成されている。
【００３３】
同様に、能力授受手段５１は、主膨張弁４７の上流側である第２冷媒回路系４０のサイトグラス４６と主膨張弁４７との間から分岐され、主膨張弁４７および蒸発器４９に対して並列に接続されているバイパス回路５２と、切替え弁を構成する２つの電磁弁５３，５４と、バイパス回路５２に設けられている副膨張弁５５と、副膨張弁５５の下流側に設けられ、バイパス回路５２側を流れる冷媒と第１冷媒回路系２０側を流れる凝縮器２３で凝縮された高圧液冷媒とを熱交換して該液冷媒を過冷却する熱交換器５６とから構成されている。
【００３４】
なお、本実施形態において、冷凍能力を直接受け渡しする能力授受手段３１および５１とは、上記の如く熱交換器３６，５６を介して他方の冷媒回路系を流れる液冷媒を直接冷却し、該液冷媒を過冷却する等により直接冷凍能力を受け渡しするものであって、熱交換器以外に蓄熱槽や蓄熱材等の他の設備を介在して冷熱の授受を行うようにしたものとは異なることを意味している。
【００３５】
以上に説明の構成により、本実施形態によれば、以下の作用効果を奏する。
２室用冷凍装置１の第１冷媒回路系２０側では、圧縮機２１で圧縮された冷媒を凝縮器２３、レシーバ２４、ドライヤ２５、サイトグラス２６、主膨張弁２７および蒸発器２９の順に循環させ、ファン２８により循環される保冷庫２の第１室４内の空気を蒸発器２９で冷却することにより、第１室４内を冷却している。なお、この冷却運転時、電磁弁３３は閉、電磁弁３４は開とされている。
【００３６】
また、第２冷媒回路系４０側では、圧縮機４１で圧縮された冷媒を凝縮器４３、レシーバ４４、ドライヤ４５、サイトグラス４６、主膨張弁４７および蒸発器４９の順に循環させ、ファン４８により循環される保冷庫２の第２室５内の空気を蒸発器４９で冷却することにより、第２室５内を冷却している。なお、この冷却運転時、電磁弁５３は閉、電磁弁５４は開とされている。
【００３７】
上記の冷却運転は、第１冷媒回路系２０および第２冷媒回路系４０を同時または個別に運転することにより行われ、第１室４および第２室５をそれぞれ同時または個別に冷却することができる。そして、２つの室４，５を同時に冷却運転している時、例えば第１冷媒回路系２０の冷凍能力にゆとりがあり、第２冷媒回路系４０の冷凍能力が不足していると判断された場合には、第１冷媒回路系２０側から冷凍能力が不足している第２冷媒回路系４０側に、能力授受手段３１を介して直接冷凍能力を受け渡しし、第２冷媒回路系４０の冷凍能力を増強しながら、両室４，５を同時に冷却運転を行うことができる。
【００３８】
能力授受手段３１による冷凍能力の授受は、図２に示されるように、電磁弁３３を開として第１冷媒回路系２０から高圧液冷媒の一部をバイパス回路３２に導き、この冷媒を副膨張弁３５で減圧した後、熱交換器３６に導入し、該熱交換器３６で第２冷媒回路系４０側を流れる凝縮器４３で凝縮された高圧液冷媒と熱交換させて蒸発させ、該液冷媒を過冷却することによって行われる。なお、熱交換器３６でガス化された冷媒は、蒸発器２９からの冷媒と合流され、圧縮機２１に吸入される。
【００３９】
同様に、第２冷媒回路系４０の冷凍能力にゆとりがあり、第１冷媒回路系２０の冷凍能力が不足していると判断された場合には、第２冷媒回路系４０側から冷凍能力が不足している第１冷媒回路系２０側に、能力授受手段５１を介して直接冷凍能力を受け渡しし、第１冷媒回路系２０の冷凍能力を増強しながら、同時に冷却運転を行うことができる。能力授受手段５１による冷凍能力の受け渡しは、能力授受手段３１の場合と同様である。
【００４０】
なお、冷凍能力が不足しているか否かの判断は、冷却されている保冷庫２内の温度降下率から自動的に判断するようにしてもよいし、保冷庫２内を第１室４と第２室５に仕切っている仕切壁３の位置および積荷の量等を勘案してオペレーターが判断するようにしてもよい。また、冷凍能力授受の解除は、冷凍能力の受け渡しを受けている側の冷媒回路系によって冷却されている室側が設定温度に達したことを以って解除するようにすればよい。
【００４１】
一方、２室のいずれか一方の室、例えば第１室４側が設定温度に到達し、第１室４の冷却運転が不要となった場合、通常は第１冷媒回路系２０の圧縮機２１のクラッチがオフとされ、サーモオフとなるが、本実施形態では、図３に示されるように、圧縮機２１の運転を継続し、電磁弁３３を開いたまま電磁弁３４を閉として、蒸発器２９を休止状態とするとともに、冷媒をバイパス回路３２側に流すようにしている。これにより、冷媒が副膨張弁３５を経て熱交換器３６に導入され、能力授受手段３１が機能されるため、第１冷媒回路系２０の冷凍能力を第２冷媒回路系４０側に受け渡しすることができる。
【００４２】
その結果、第２冷媒回路系４０の冷凍能力が増強され、第２室５を速やかに設定温度まで冷却することが可能となる。逆に、第２室５が先に設定温度に到達した場合には、第２冷媒回路系４０側の蒸発器４９を休止状態とし、能力授受手段５１を機能させて第１冷媒回路系２０に第２冷媒回路系４０側からの冷凍能力を受け渡しすることにより、第１冷媒回路系２０の冷凍能力を増強し、第１室４を速やかに設定温度まで冷却することが可能となる。
【００４３】
このように、第１室４および第２室５の冷却運転時に、いずれか一方の第１冷媒回路系２０または第２冷媒回路系４０の冷凍能力が不足していると判断されたときは、一方の冷媒回路系２０（４０）から冷凍能力が不足している他方の冷媒回路系４０（２０）側に対して、能力授受手段３１（５１）を介して直接冷凍能力を受け渡しし、他方の冷媒回路系４０（２０）の冷凍能力を増強することができる。このため、冷凍能力が不足している他方の冷媒回路系４０（２０）側も、速やかに設定温度まで冷却することが可能となる。
【００４４】
従って、各々第１および第２冷媒回路系２０，４０の冷凍能力を必要以上に大きくする必要がなくなり、２室用冷凍装置１を小型化、低コスト化することができる。しかも２系統の第１および第２冷媒回路系２０，４０間に設けられている能力授受手段３１，５１によって余計な設備を介さず直接冷凍能力を受け渡しできるため、構成が簡素でかつ軽量コンパクトで、それ故架装が容易な能力授受手段３１，５１を備えた２室用冷凍装置１を提供することができる。
【００４５】
また、能力授受手段３１，５１が、２系統の第１冷媒回路系２０および第２冷媒回路系４０の一方の冷媒回路系２０（４０）の蒸発器２９（４９）に切替え弁を構成する電磁弁３３，３４（５３，５４）を介して並列に接続され、他方の冷媒回路系４０（２０）の高圧液冷媒と熱交換して該液冷媒を過冷却する熱交換器３６（５６）を備えた構成とされているため、ベースとなる冷媒回路系２０，４０に対し電磁弁３３，３４または５３，５４を介して熱交換器３６，５６を接続するだけで、一方の冷媒回路系２０（４０）から他方の冷媒回路系４０（２０）に冷凍能力を直接授受できる能力授受手段３１，５１を構成することができる。従って、能力授受手段３１，５１を最小限の機器のみで簡素に構成することができる。
【００４６】
さらに、２系統の第１および第２冷媒回路系２０，４０の圧縮機２１，４１を除く第１冷媒回路系２０の凝縮器側機器２２ないし２６および蒸発器側機器２７ないし２９、能力授受手段３１，５１並びに第２冷媒回路系４０の凝縮器側機器４２ないし４６等が１つのホストユニット１１に纏められて２室中の一方の第１室４側に設置され、また、第２冷媒回路系４０の蒸発器側機器４７ないし４９がエバポレータユニット１２として他方の第２室５側に設置される構成としている。このように、能力授受手段３１，５１を一方の第１冷媒回路系２０の凝縮器側機器２２ないし２６および蒸発器側機器２７ないし２９並びに他方の第２冷媒回路４０系の凝縮器側機器４２ないし４６等と共にホストユニットに設けることによって、全体として能力授受手段３１，５１を備えた２室用冷凍装置１をコンパクトに纏めることができる。このため、能力授受手段３１，５１を備えた２室用冷凍装置１の冷凍車６に対する架装を容易化することができる。
【００４７】
なお、上記実施形態では、第１冷媒回路系２０およびは第２冷媒回路系４０のそれぞれに能力授受手段３１，５１を設けた例について説明したが、一方の冷媒回路系のみに能力授受手段を設けてもよい。この場合、２系統の冷媒回路系の冷凍能力は、例えば６：４のように、一方を大きくするのが通常であり、能力授受手段は、能力の大きい冷媒回路系側に設けるのが望ましい。
【００４８】
［第２実施形態］
次に、本発明の第２実施形態について、図５を用いて説明する。
本実施形態は、上記した第１実施形態に対して、第１冷媒回路系２０に設ける能力授受手段６１の構成が異なっている。その他の点については、第１実施形態と同様であるので説明は省略する。
本実施形態では、図５に示されるように、第１冷媒回路系２０の主膨張弁２７と蒸発器２９との間に切替え弁（３方電磁弁）６２を設け、該切替え弁６２を介して蒸発器２９の入口側に、バイパス回路６３と、第２冷媒回路系４０側の高圧液冷媒と熱交換して該液冷媒を過冷却する熱交換器６４との並列回路を設けることによって、能力授受手段６１を構成している。
【００４９】
上記構成とすることにより、通常の冷却運転時は、主膨張弁２７を経た冷媒を切替え弁６２によりバイパス回路６３に流し、蒸発器２９で蒸発させることによって第１室４を冷却することができる。一方、冷凍能力が不足している第２冷媒回路系４０側に冷凍能力を受け渡しする場合は、切替え弁６２を切替えて冷媒を熱交換器６４側に流し、能力授受手段６１を機能させて第２冷媒回路系４０側の高圧液冷媒を過冷却することにより、第１冷媒回路系２０から第２冷媒回路系４０に冷凍能力を受け渡しすることができる。
【００５０】
なお、本実施形態では、冷媒の一部を熱交換器６４で蒸発させ、残りを蒸発器２９で蒸発させることができるため、蒸発器２９によって第１室４の冷却運転を行いながら、能力授受手段６１を介して冷凍能力を第１冷媒回路系２０側から第２冷媒回路系４０側に受け渡しすることができる。また、蒸発器２９のファン２８を停止することによって、第１室４の冷却を休止しながら、冷凍能力の授受のみを行うこともできる。
【００５１】
従って、本実施形態によっても、第１実施形態と略同等の効果を得ることができる。また、直接冷凍能力を受け渡しできる能力授受手段６１を、ベースとなる冷媒回路系２０に対し切替え弁６２を介してバイパス回路６３と熱交換器６４との並列回路を接続するだけで構成することができる。このため、能力授受手段６１を最小限の機器で余計な設備を介在することなく簡素に構成することができる。
【００５２】
［第３実施形態］
次に、本発明の第３実施形態について、図６および図７を用いて説明する。
本実施形態は、上記した第１実施形態に対して、能力授受手段３１，５１を能力授受ユニット１３としてキット化している点が異なる。その他の点については、第１実施形態と同様であるので説明は省略する。
本実施形態では、能力授受手段３１の構成機器であるバイパス回路３２、切替え弁（電磁弁３３，３４）、副膨張弁３５および熱交換器３６とその前後の配管、並びに能力授受手段５１の構成機器であるバイパス回路５２、切替え弁（電磁弁５３，５４）、副膨張弁５５および熱交換器５６とその前後の配管を能力授受キットとしてユニット化し、能力授受ユニット１３を構成している。
【００５３】
このように、能力授受手段３１，５１をキットとしてユニット化することにより、該能力授受ユニット１３を既設の２室用冷凍装置の２系統の冷媒回路系２０，４０間に、冷媒配管３０，５０を部分的に切断して接続することにより、能力授受手段３１，５１を備えた２室用冷凍装置１に簡単に改修することができる。従って、既設の２室用冷凍装置にも容易に適用でき、当該２室用冷凍装置を高性能化することができる。
【００５４】
また、本実施形態は、図７に示されるように、保冷庫２の第１室４側に設けられる第１冷媒回路系２０の構成機器がコンデンサユニット１４とエバポレータユニット１５とに分離され、第２室５側に設けられる第２冷媒回路系４０の構成機器がコンデンサユニット１６とエバポレータユニット１７とに分離されているタイプの２室用冷凍装置１に好適に適用でき、この場合、能力授受ユニット１３は、保冷庫２下の車両シャーシあるいは保冷庫２の前面壁等に設置することができる。
【００５５】
なお、本発明は、上記実施形態にかかる発明に限定されるものではなく、その要旨を逸脱しない範囲において、適宜変形が可能である。例えば、上記の第２実施形態では、第１冷媒回路系２０側だけに能力授受手段６１を設けた例について説明したが、第２冷媒回路系４０側に同様の能力授受手段を設けてもよいことはもちろんである。また、能力授受手段３１，５１，６１を構成する熱交換器３６，５６，６４は、如何なる形式の熱交換器を用いてもよいが、プレート式熱交換器、二重管式熱交換器等の出来る限りコンパクトなものとすることが望ましいことは云うまでもない。
【符号の説明】
【００５６】
１  ２室用冷凍装置
２  保冷庫
４  第１室
５  第２室
１１  ホストユニット
１２  エバポレータユニット
１３  能力授受ユニット
２０  第１冷媒回路系
２１，４１  圧縮機
２３，４３  凝縮器
２９，４９  蒸発器
３１，５１，６１  能力授受手段
３３，３４，５３，５４  電磁弁（切替え弁）
３６，５６，６４  熱交換器
４０  第２冷媒回路系
６２  切替え弁（３方電磁弁）
６３  バイパス回路
【図１】
2010236827.tif 000003
【図２】
2010236827.tif 000004
【図３】
2010236827.tif 000005
【図４】
2010236827.tif 000006
【図５】
2010236827.tif 000007
【図６】
2010236827.tif 000008
【図７】
2010236827.tif 000009